(57)【要約】【課題】血液凝固因子に作用する試薬を用い、光学的信号の時系列的変化を分析することにより血液凝固時間測定する方法において、検体の血液凝固時間ＰＴに影響されず高精度な異常判定をすることができる血液凝固時間測定方法を提供する。【解決手段】測定部で測定された血液凝固時間ＰＴおよび血液凝固時間における受光データＦ（ＰＴ）に基づいてチェック領域および正常範囲閾値を設定し、正常範囲内にある否かを判断することにより、検体の血液凝固時間ＰＴに影響されず良好な異常判定を行うことが可能となる。【選択図】図９
2008209350.tif 000002
【特許請求の範囲】
【請求項１】
血液に含まれる凝固作用に関与する成分と反応して観測可能な光学的変化を示す反応試薬を使い、光学的信号変化を分析することにより血液凝固時間を測定する血液凝固時間測定装置であって、
前記光学的信号を電気的な受光信号に変換する受光器と、
前記受光器からの受光信号をデジタルの受光データに変換するＡ／Ｄ変換器と、
前記Ａ／Ｄ変換器から得られる受光データを予め設定された時間間隔毎に測定するデータ測定部と、
前記データ測定部で測定された各受光データを一時的に保持するデータ保持部と、
前記データ保持部に保持された複数の受光データに基づいて血液凝固時間を求める血液凝固時間演算部と、
前記測定した受光データに異常があるか否かを判定する異常判定部とを備え、
前記異常判定部は、前記血液凝固時間演算部により求められた血液凝固時間および該血液凝固時間における前記測定した受光データの値に基づいて、異常判定を行うチェック領域および該チェック領域における正常範囲を設定し、前記測定した受光データが前記正常範囲内にあるか否かを判定する、
ことを特徴とする血液凝固時間測定装置。
【請求項２】
血液に含まれる凝固作用に関与する成分と反応して観測可能な光学的変化を示す反応試薬を使い、光学的信号変化を分析することにより血液凝固時間を測定する血液凝固時間測定装置であって、
前記光学的信号を電気的な受光信号に変換する受光器と、
前記受光器からの受光信号をデジタルの受光データに変換するＡ／Ｄ変換器と、
前記Ａ／Ｄ変換器から得られる受光データを予め設定された時間間隔毎に測定するデータ測定部と、
前記データ測定部で測定された各受光データを一時的に保持するデータ保持部と、
前記データ保持部に保持された複数の受光データに基づいて血液凝固時間を求める血液凝固時間演算部と、
前記測定した受光データに異常があるか否かを判定する異常判定部とを備え、
前記異常判定部は、前記測定した受光データの、前記血液凝固時間演算部により求められた血液凝固時間における値に基づいて、少なくとも１つの判定基準値を設定し、かつ、前記血液凝固時間演算部により求められた血液凝固時間に基づいて、前記測定された受光データの値が前記判定基準値と等しくなる時刻の正常上限時刻および正常下限時刻を設定し、前記測定された受光データの値が前記判定基準値と等しくなる時刻を求め、該求めた時刻が前記正常上限時刻および前記正常下限時刻で設定される正常時刻範囲内にあるか否かを判定する、
ことを特徴とする血液凝固時間測定装置。
【請求項３】
血液に含まれる凝固作用に関与する成分と反応して観測可能な光学的変化を示す反応試薬を使い、光学的信号変化を分析することにより血液凝固時間を測定する血液凝固時間測定装置であって、
前記光学的信号を電気的な受光信号に変換する受光器と、
前記受光器からの受光信号をデジタルの受光データに変換するＡ／Ｄ変換器と、
前記Ａ／Ｄ変換器から得られる受光データを予め設定された時間間隔毎に測定するデータ測定部と、
前記データ測定部で測定された各受光データを一時的に保持するデータ保持部と、
前記データ保持部に保持された複数の受光データに基づいて血液凝固時間を求める血液凝固時間演算部と、
前記測定した受光データに異常があるか否かを判定する異常判定部とを備え、
前記異常判定部は、前記血液凝固時間演算部により求められた血液凝固時間に基づいて、少なくとも１つの判定基準時刻を設定し、かつ、前記測定した受光データの、前記血液凝固時間演算部により求められた血液凝固時間における値に基づいて、前記測定した受光データの前記判定基準時刻における値の正常上限値および正常下限値を設定し、前記測定した受光データの前記判定基準時刻における値を求め、前記求めた値が前記正常上限値および前記正常下限値で設定される正常値範囲内にあるか否かを判定する、
ことを特徴とする血液凝固時間測定装置。
【発明の詳細な説明】
【技術分野】
【０００１】
本発明は、被分析試料中の物質と反応して吸光、発光、蛍光、散乱光などの光学的な変化を伴う光学的信号を分析することにより血液凝固時間を測定する血液凝固時間測定装置に関するものである。
【背景技術】
【０００２】
以下、従来の血液凝固時間測定装置について図１１、図１２を用いて説明する。従来の血液凝固時間測定装置は図１１に示すような構成となっていた（例えば、特許文献１参照。）。
【０００３】
図１１において、透明な試験管５１には、測定される血漿が予め収容され、試薬供給器５２からピペット５３を介して例えばＰＴ試薬等の試薬が試験管５１へ供給され、ＬＥＤ５４からの光が試験管１に照射される。試験管５１の内部で散乱した散乱光はフォトダイオード５５に受光され、散乱光量が検出される。
【０００４】
計測部５６は、散乱光量の飽和を検出する検出部５６ａと、散乱光量が増加するか否かを判定する判定部５６ｂと、散乱光量の飽和を検出した時にその後の所定時間内に散乱光量がさらに増加するか否かを判定し増加するときには次の飽和を検出するという処理がくり返し行なわれるように検出部５６ａと判定部５６ｂとを制御する制御部５６ｃと、散乱光量の飽和が最終的に検出されたとき、その飽和値に基づいて凝固時間を算出する算出部５６ｄを備え、フォトダイオード５５の出力信号を処理して、処理結果をＣＲＴ５７に表示するようになっている。なお計測部５６は、ＣＰＵ，ＲＯＭ，ＲＡＭからなるマイクロコンピュータから構成されている。
【０００５】
図１２は、図１１の従来の血液凝固時間測定装置を用いて測定されたデータの一例を示している。横軸は、測定される血漿と試薬を混合した後の経過時間を示す。縦軸は、検出される受光光量を示している。この場合、血液凝固時間は、受光光量の変化量が飽和した時の５０％になる時刻で測定される。さらに、測定データに異常がないかどうかを判断するために、以下のような異常判定を行なっている。
【０００６】
まず、反応速度の異常を判断するために、例えば、受光光量が飽和光量の５０％の領域Ｈ２を中心としてプラスマイナス４％になる領域をチェック領域に設定し、このチェック領域内での受光光量の変化率を求め、正常範囲内であるかどうかを判断している。
【０００７】
次に、初期反応の有無の判定として、例えば反応開始後２０秒あたりの反応初期にチェック領域を設定し、この部分での受光光量の変化率を求め、正常範囲内であるかどうかにより判断している。
【０００８】
さらに、反応曲線のドリフトの有無を判定するために、２つのチェック領域を設定し、それぞれのチェック領域での受光光量の変化率の求め、２つの変化率の比率をさらに求め、正常範囲内であるかどうかにより判断している。例えば、チェック領域は、受光光量が飽和光量の４６％〜５４％の領域（Ｈ２−ｈ〜Ｈ２＋ｈ）と、６％〜１４％の領域（Ｈ１−ｈ〜Ｈ１＋ｈ）に設定している。
【０００９】
また、反応開始時刻が早すぎないかどうかの判定として、受光光量が所定値を超える時刻を求め、正常範囲かどうかを判断している。
【特許文献１】特開２００３−１６９７００号公報
【発明の開示】
【発明が解決しようとする課題】
【００１０】
しかしながら、このような従来の血液凝固時間測定装置では、測定される受光光量は、測定される血液の血液凝固能の差により、光量変化量だけでなく、変化開始時刻、変化率に大きな差が存在し、精度の高い異常判定を行なうことができないという課題がある。血液凝固時間の測定値は、抗凝固剤の投薬量を決定するために用いられるため、その測定誤差は生命に関わる危険性が高い。従って、非常に高い信頼性が必要である。もし、装置や化学反応に何らかの異常を検知した場合、安全にその異常をユーザーに認知させる必要があり、決して信頼性の無い測定結果を表示してはならない。
【００１１】
この点について今少し説明する。図１３に実際に測定した受光光量の測定データを示す。図１３は、それぞれ血液凝固時間が異なる場合、言い換えれば国際標準比（以降ＩＮＲ値と記す）が異なる場合のプロファイルの違いを示したものである。図からわかるように、ＩＮＲ値が大きいほど変化開始の時刻が遅く、変化量の大きさ、すなわち変化率が小さくなる傾向がある。また、変化開始している時刻が同じ、すなわち、同じＩＮＲ値であるプロファイルでも、変化量の大きさやプロファイルの傾き、すなわち変化率が異なっている。
【００１２】
したがって、従来の血液凝固時間測定装置では、ＩＮＲ値の違いによって生じる変化開始時刻の違いや傾きの違いのため、最適なチェック領域を設定することが難しく、また、最適な異常判定の閾値を設定することが難しいという課題がある。
【００１３】
さらに、従来の血液凝固時間測定装置では、異常判定をするチェック領域を受光光量の飽和値を基に設定しているので、微分値の最大時刻を検知した時点で測定完了することができる高速測定方法では異常判定を行なうことができないという課題がある。
【００１４】
本発明は、これらの課題を解決するためになされたものであり、精度の高い異常判定を行ない、血液凝固時間を測定することのできる血液凝固時間測定装置を提供することを目的とする。
【課題を解決するための手段】
【００１５】
上記の課題を解決するために、本発明（請求項１）の血液凝固時間測定装置は、血液に含まれる凝固作用に関与する成分と反応して観測可能な光学的変化を示す反応試薬を使い、光学的信号変化を分析することにより血液凝固時間を測定する血液凝固時間測定装置であって、前記光学的信号を電気的な受光信号に変換する受光器と、前記受光器からの受光信号をデジタルの受光データに変換するＡ／Ｄ変換器と、前記Ａ／Ｄ変換器から得られる受光データを予め設定された時間間隔毎に測定するデータ測定部と、前記データ測定部で測定された受光データを一時的に保持するデータ保持部と、前記データ保持部に保持された受光データに基づいて血液凝固時間を求める血液凝固時間演算部と、前記測定した受光データに異常があるか否かを判定する異常判定部とを備え、前記異常判定部が、前記血液凝固時間演算部により求められた血液凝固時間および該血液凝固時間における前記測定した受光データの値に基づいて、異常判定を行うチェック領域および該チェック領域における正常範囲を設定し、前記測定した受光データが前記正常範囲内にあるか否かを判定する、ことを特徴とするものである。
【００１６】
これにより、チェック領域およびチェック領域における正常範囲を、検体の血液凝固時間および受光データの値に応じて設定でき、検体の血液凝固時間に影響されることなく、測定データの高精度な異常判定を行うことができる。また、チェック領域を設定するために受光光量の飽和値を知る必要がないため、受光データの微分値の最大時刻を検知した時点で測定を完了する高速測定方法においても良好な異常判定を行なうことを可能とできる。
【００１７】
また、本発明（請求項２）の血液凝固時間測定装置は、血液に含まれる凝固作用に関与する成分と反応して観測可能な光学的変化を示す反応試薬を使い、光学的信号変化を分析することにより血液凝固時間を測定する血液凝固時間測定装置であって、前記光学的信号を電気的な受光信号に変換する受光器と、前記受光器からの受光信号をデジタルの受光データに変換するＡ／Ｄ変換器と、前記Ａ／Ｄ変換器から得られる受光データを予め設定された時間間隔毎に測定するデータ測定部と、前記データ測定部で測定された各受光データを一時的に保持するデータ保持部と、前記データ保持部に保持された複数の受光データに基づいて血液凝固時間を求める血液凝固時間演算部と、前記測定した受光データに異常があるか否かを判定する異常判定部とを備え、前記異常判定部が、前記測定した受光データの、前記血液凝固時間演算部により求められた血液凝固時間における値に基づいて、少なくとも１つの判定基準値を設定し、かつ、前記血液凝固時間演算部により求められた血液凝固時間に基づいて、前記測定された受光データの値が前記判定基準値と等しくなる時刻の正常上限時刻および正常下限時刻を設定し、前記測定された受光データの値が前記判定基準値と等しくなる時刻を求め、該求めた時刻が前記正常上限時刻および前記正常下限時刻で設定される正常時刻範囲内にあるか否かを判定する、ことを特徴とするものである。
【００１８】
これにより、判定基準値、および受光データの値が前記判定基準値に等しくなる時刻の正常範囲を、検体の血液凝固時間および受光データの値に応じて設定でき、検体の血液凝固時間に影響されることなく、測定データの高精度な異常判定を行うことができる。また、チェック領域を設定するために受光光量の飽和値を知る必要がないため、受光データの微分値の最大時刻を検知した時点で測定を完了する高速測定方法においても良好な異常判定を行なうことを可能とできる。
【００１９】
また、本発明（請求項３）の血液凝固時間測定装置は、血液に含まれる凝固作用に関与する成分と反応して観測可能な光学的変化を示す反応試薬を使い、光学的信号変化を分析することにより血液凝固時間を測定する血液凝固時間測定装置であって、前記光学的信号を電気的な受光信号に変換する受光器と、前記受光器からの受光信号をデジタルの受光データに変換するＡ／Ｄ変換器と、前記Ａ／Ｄ変換器から得られる受光データを予め設定された時間間隔毎に測定するデータ測定部と、前記データ測定部で測定された各受光データを一時的に保持するデータ保持部と、前記データ保持部に保持された複数の受光データに基づいて血液凝固時間を求める血液凝固時間演算部と、前記測定した受光データに異常があるか否かを判定する異常判定部とを備え、前記異常判定部が、前記血液凝固時間演算部により求められた血液凝固時間に基づいて、少なくとも１つの判定基準時刻を設定し、かつ、前記測定した受光データの、前記血液凝固時間演算部により求められた血液凝固時間における値に基づいて、前記測定した受光データの前記判定基準時刻における値の正常上限値および正常下限値を設定し、前記測定した受光データの前記判定基準時刻における値を求め、前記求めた値が前記正常上限値および前記正常下限値で設定される正常値範囲内にあるか否かを判定する、ことを特徴とするものである。
【００２０】
これにより、判定基準時刻、および判定基準時刻における受光データの値の正常範囲を、検体の血液凝固時間および受光データの値に応じて設定でき、検体の血液凝固時間に影響されることなく、測定データの高精度な異常判定を行うことができる。また、チェック領域を設定するために受光光量の飽和値を知る必要がないため、受光データの微分値の最大時刻を検知した時点で測定を完了する高速測定方法においても良好な異常判定を行なうことを可能とできる。
【発明の効果】
【００２１】
本発明の血液凝固時間測定装置によれば、測定データから求めた血液凝固時間および該血液凝固時間における受光光量データの値に基づいて、チェック領域および該チェック領域における正常上限値および正常下限値を設定するようにしたから、異常判定を行なうチェック領域が、検体の血液凝固能に依存せず、受光データの変化量、変化率の違いや反応開始時間の違いなどに影響されないので、検体の血液凝固時間に影響されずに高精度な異常判定を行うことができる効果がある。
【００２２】
また、本発明の血液凝固時間測定装置によれば、チェック領域を設定するために受光光量の飽和値を知る必要がないため、微分値の最大時刻を検知した時点で測定完了することができる高速測定方法においても良好な異常判定を行なうことができる効果がある。
【発明を実施するための最良の形態】
【００２３】
（実施の形態１）
以下に、本発明の実施の形態について、図面に基づいて説明する。
図１は、本発明の実施の形態１における血液凝固時間測定装置１００の斜視図である。
【００２４】
図１において、本実施の形態１の血液凝固時間測定装置１００には、試験片３を設置するための光学台６が設けられている。試験片３上の反応部４には、血液５の凝固反応に応じて蛍光強度を変化させるような化学反応を起こさせる試薬が含まれている。光学台６の上には、ホルダー２０が装着されており、試験片３が適切な測定位置に配置できるように挿入路を形成している。さらにホルダー２０は、弾性構造になっており、試験片３を温度制御手段２１に押し当てて、熱伝導性を高める役割を果たしている。
【００２５】
試験片３を血液凝固時間測定装置１００の光学台６上に設置した際に、反応部４は、光学台６上に設けられた窓部７に合致するように位置決めされる。試験片３はホルダー２０によって温度制御手段２１に押し当てられるような構造となっている。光学台６上には電極２２が備えられており、試験片３を使った試料の測定時には、試料の点着を検出したり、測定中の試料の抵抗値など測定したりする目的で試験片３上に備えられている電極と接続されるようになっている。また血液凝固時間測定装置１００には、測定中の外光や埃等の侵入を防止する目的で、閉状態で光学台６を遮光できるような開閉可能な蓋８が設けられている。
【００２６】
図２は、光学台６の断面を示す図である。光学台６の内部には、温度制御手段２１、光源９、光源フィルタ１２、レンズ１０、受光フィルタ１３、受光手段１１が備えられている。
【００２７】
温度制御手段２１は、血液５と反応部４内に含まれている反応物質との反応が最も活性化する温度、もしくは、反応が最も安定するような温度になるように反応部４の温度を制御するための温度制御手段である。例えば、アルミナ系セラミック基板上に厚膜抵抗体などの加温手段と、温度検出用のサーミスタなどの温度検出手段をそなえた面状ヒーターなどにより構成する事ができる。また、制御温度が動作環境温度よりも低いような冷却を必要とする場合においては、加温手段の代替としてペルチェ素子のような加温冷却手段を用いる事により構成することができる。なお、加温または加温冷却手段は、一例をあげたに過ぎず、加温または冷却する事ができるものであれば他のものも用いる事ができる。なお、温度制御が不要な場合では、温度制御手段２１を必ずしも備える必要はない。
【００２８】
光源９は、反応部４に対して光学的エネルギーを印加するためのものであり、例えば白熱電球、ＬＥＤ、半導体レーザー、有機ＥＬ等を用いることができる。光源９は、駆動手段に接続され、測定中は光学的出力が安定して得られるように制御されている。
【００２９】
光源フィルタ１２は、光源９から射出される光路上に配置されており、これにより光源９から発せられた光のうち、光源フィルタ１２の特性により選択された波長帯域の光を反応部４へ照射することができる。光学フィルタ１２の特性は、血液５と反応部４内の反応物質との反応に伴う光学的な波長により透過波長帯域および遮断波長帯域が決まり、バンドパスフィルタ、ショートパスフィルタ、ロングパスフィルタ、マルチパスフィルタなどを用いる事ができる。なお、光源９が半導体レーザーダイオードのような単一波長である場合や、ＬＥＤなどの特定の波長帯域幅だけであり、かつ、受光すべき波長に影響しない場合においては、光源フィルタ１２を必ずしも備える必要はない。
【００３０】
レンズ１０は、試験片３上の反応部４に面する側が平面であり、受光手段１１に面する側がレンズ曲面となっている。本実施の形態では、平面側は、反応部４にほとんど接するような位置に配置されている。実際には、接触による傷や汚染の防止のために３００〜５００μｍ程度の隙間ができるようにしている。本実施の形態では、光学的効率を向上させる目的でレンズ１０を入れているが、受光量をそれほどあげる必要がない場合は、レンズ１０を備えなくても構わない。
【００３１】
光源フィルタ１２により選択された波長の光は、レンズ１０のレンズ曲面側から入射し、平面側より出射して反応部４へ照射される。
【００３２】
反応部４内の反応物質と点着された血液５の反応により、蛍光物質が生成されて蛍光特性が表れ、励起光を照射する事によって、蛍光を発するようになる。
【００３３】
反応部４より発せられた蛍光は、レンズ１０の平面側から入射し、曲面側より出射され、受光フィルタ１３を透過して、受光手段１１によって受光される。
【００３４】
受光フィルタ１３は、反応部４から発せられた蛍光のみを透過させ、それ以外の不要な光を阻止する目的の光学フィルタである。この受光フィルタ１３の特性は、血液５と反応部４内の反応物質との反応に伴う光学的な波長に関連した要求仕様に基づいて決まり、少なくとも、励起光源波長帯域を遮断し、反応部４からの光学信号の波長帯域を透過させるようなフィルタ特性が必要となる。望ましくは、反応部４から得られる光学的信号の波長のみを透過させ、それ以外の不要な光の波長を遮断するようなバンドパスフィルタが望ましいが、要求仕様によっては、ショートパスフィルタ、ロングパスフィルタ、マルチパスフィルタなどを用いる事ができる場合もある。
【００３５】
受光手段１１に受光された光学的信号は、光電変換された後、信号処理回路により、所定の信号分析が行なわれる。信号処理回路は一般的にアナログ増幅回路、アナログ−デジタル変換回路、マイクロプロセッサ等から構成される。
【００３６】
図３は、血液凝固時間測定装置１００の構成を示すブロック図である。図において、図１、図２と同一符号は同一又は相当部分である。また、３０は光源９を駆動するＬＥＤドライバである。３２はＣＰＵであり、制御部３３、血液凝固時間演算部３４、異常検知部３５、データ測定部３６、およびデータ保持部３７を備える。また３８は受光手段１１が出力する光電流を電圧に変換する電流電圧変換回路（Ｉ／Ｖ）、３９はＩ／Ｖ３８のアナログ出力をデジタル信号に変換するアナログ−デジタル変換回路（Ａ／Ｄ）である。４０は測定結果等を表示するＬＣＤ表示器、４１はデータを血液凝固時間測定装置１００の外部に出力する出力ポート、４２は外部メモリ、４３はＣＰＵ３２の動作クロックを発生するタイマーである。３１は操作スイッチであり、ＣＰＵ３２の制御部３３は操作スイッチ３１からの操作入力に応じて測定動作が行われるように各部を制御する。
【００３７】
以上のように構成された血液凝固時間測定装置１００の測定動作について説明する。
図７は、測定動作のフローチャートである。
【００３８】
ユーザーが操作スイッチ３１を操作することにより、血液凝固時間測定装置１００は、測定モードに移行する。まず、最初に、ユーザーに対して試験片３を挿入するよう、ＬＣＤ表示器４０に試験片挿入指示メッセージを表示する（ステップＳ１）。
【００３９】
ホルダー２０が取付けられている光学台６の所定の位置に試験片３を挿入されると、電極ピン２２の電極間抵抗値が変化することにより試験片３が装着された事を検知する（ステップＳ２）。その後、温度制御手段２１により試験片３上の反応部４が所定の温度、例えば血液凝固反応が安定する３７℃になるように温度制御を行なう（ステップＳ３）。
【００４０】
温度が所定温度に達した後、分析対象である血液５を反応部４へ点着するようにＬＣＤ表示器４０に点着指示メッセージを表示する（ステップＳ４）。
【００４１】
ユーザーにより点着されると、電極間の抵抗値の変化が生じ、これを検知してデータ測定を開始する（ステップＳ５）。
【００４２】
測定開始と同時に、ＬＣＤ表示器４０に蓋閉め指示メッセージを表示する（ステップＳ６）。
【００４３】
その後、予め決められた時間毎、例えば、５秒毎にＬＥＤドライバ３０により光源９を点灯させることにより反応部４へ励起光を照射し、受光手段１１より得られる受光信号をＩ／Ｖ３８およびＡ／Ｄ３９を通してデータ測定部３６で測定し、光源９を消灯する。光源９を消灯するのは、低消費電力、光源寿命、蛍光退色などのデメリットを軽減するためのものであり、特に問題とならない場合には、消灯しなくても構わない。このようにして、反応部４から得られる光学的信号強度を受光手段１１により電気信号に変換し、適切に構成された増幅回路により増幅し、Ａ／Ｄ３９によりデジタルデータに変換した後、データ測定部３６で測定し、その時系列的な測定データを記憶手段であるデータ保持部３７により一時記憶してゆく。そして、各々の測定毎に、一次微分を演算しながら最大値になる時刻を監視する。一次微分が最大値となる時刻を検知し、測定を終了する。（ステップＳ７、Ｓ８、Ｓ９）
【００４４】
受光データには電気的または光学的なノイズが含まれる場合が多く、各々の測定毎のＡ／Ｄ変換は１回だけではなく複数回のサンプリングを行い、一般的に用いられる安定化手法、例えば、平均値、中心値、分布偏差が大きい部分を除外したデータの平均化などの方法により行なうことが好ましい。また、前後の複数のデータから平滑化処理、例えば、前後データの平均値、重み付け加算値、中心値など方法により処理した後に演算をおこなうのが望ましい。
【００４５】
受光データ測定終了後、データ保持部３７に記憶された時系列データをもとに血液凝固時間演算部３４によって、血液凝固時間ＰＴ値およびＩＮＲ値を演算する（ステップＳ１０）。
【００４６】
以下に、血液凝固時間およびＩＮＲ値を求める方法の一例として、一次微分を利用した演算方法を示す。本発明の進歩性の一つとして高速測定方法にも有効であるため、一次微分を利用した演算部の例を示すが、他の演算方法による場合でも本発明は同様に有効であり、この演算方法に限定するものではない。
【００４７】
図４は、測定データの一例を示した図である。図において、２３は受光信号データを示すグラフであり、２４はその一次微分を示すグラフである。
【００４８】
受光データ２３において、測定開始から約３０秒までの間に、受光信号に変化がない部分が存在する。この部分では、血液凝固による蛍光変化は起こっていないため、この部分の受光データは蛍光以外の定常的なオフセット成分によるものである。
【００４９】
測定される受光信号には、反応部４から得られる純粋に血液凝固反応に応じた蛍光信号と、それ以外の不要な光による受光信号が含まれる。後者の要因としては、光源９から発せられた光が、レンズ１０の表面や反応部４で反射した反射光のうち受光フィルタ１３で阻止しきれずに透過してきた不要な光による成分が支配的である。また、電気的なオフセット信号も含まれている。以降の測定において定常的なオフセット信号となる。
【００５０】
以下、本実施の形態１における血液凝固時間（ＰＴｓｅｃ）および国際標準値（ＩＮＲ）を算出する方法を示す。
【００５１】
（１）受光データ２３を時間微分し、一次微分２４を求め、一次微分２４が最大となる時刻Ｔ１を求める。図４では、一次微分２４は、説明を解りやすくするために正規化したものを示しているが、特に正規化する必要はない。
【００５２】
（２）受光データ２３上の時刻Ｔ１の点を求める。
【００５３】
（３）時刻Ｔ１を基準として、所定の時間関係にある点Ｔ２、Ｔ３、Ｔ４、Ｔ５における受光データ２３上の点を求める。例えば、データの測定間隔が５秒間隔として、Ｔ１の時刻を基準にＴ２が５秒前、Ｔ３が５秒後、Ｔ４が１０秒前、Ｔ５が１０秒後とする。なお、この例では、時間間隔を５秒、サンプル点数を５個としたが、測定装置の全体性能に影響がない限り、測定間隔を短くし、サンプリング数を多くする事が望ましい。少なくともサンプル点は、２点以上とする。
【００５４】
（４）受光データ２３上の時刻Ｔ１，Ｔ２，Ｔ３，Ｔ４，Ｔ５の５点のデータより近似直線２５を求める。ここで、精度的に問題ない限り、正確な近似直線でない近似計算、または、実質的に近似直線と同等な直線式でも本発明の効果は同様に得られる。本例では５点を用いて近似直線を求めているが、サンプリング間隔を短くし、さらに多くの点から近似直線２５を求めるのが望ましい。また、最も簡単な処理で実現しようとする場合、サンプル点はＴ２およびＴ３とし、２点を結ぶ傾きをもったＴ１からＴ３までのいずれかの点を含む直線を近似直線２５としてもよい。
【００５５】
（５）受光データ２３のうち、蛍光反応以外の要因による定常的なオフセットデータを表すベースライン２６を求める。例えば、受光データ２３の最小値とする方法が最も簡単である。また、別の方法としては、受光データ２３が所定の閾値以上になる時刻を求め、測定開始から閾値を超える時刻までの間の少なくとも２点以上のデータの平均値とする方法でもよい。この場合、採用するデータとしては、最小値側から所定データ数、または、分布的に最小値側に分布する所定％に含まれるデータを採用するのが好ましい。また、これ以外の方法でも実質的に同等であれば本発明の効果は同様に得られる。
【００５６】
（６）近似直線２５とベースライン２６が交差する点の時刻Ｔｍを求める。
【００５７】
（７）補正式により、血液凝固時間ＰＴｓｅｃおよび国際標準値ＩＮＲを演算する。上記で求められたＴｍは、使用する反応試薬や測定器の光学検出性能に依存するところが大きく、測定方法によって補正式は全く異なる。また、測定する試料の種類、例えば、穿刺血、クエン酸血、血漿などの違いによっても補正式は異なる。従って、詳細な式については、本実発明の効果には影響無いので省略する。
【００５８】
図５（ａ）は、実際に行ったクリニックスタディのデータを分析して得られたグラフであり、上記の算出方法で測定された血液凝固時間ＰＴを横軸とし、受光データが、血液凝固時間ＰＴにおける受光データの３．０倍になる時刻を縦軸とし、１６０個のデータをプロットして、これらの相関を示したものである。同様に、図５（ｂ）は、実際に行ったクリニックスタディのデータを分析して得られたグラフであり、上記の算出方法で測定された血液凝固時間ＰＴを横軸とし、受光データが、血液凝固時間ＰＴにおける受光データの２．０倍になる時刻を縦軸とし、１６０個のデータをプロットして、これらの相関を示したものである。同様に、図５（ｃ）は、実際に行ったクリニックスタディのデータを分析して得られたグラフであり、上記の算出方法で測定された血液凝固時間ＰＴを横軸とし、受光データが、血液凝固時間ＰＴにおける受光データの０．７倍になる時刻を縦軸とし、１６０個のデータをプロットして、これらの相関を示したものである。
【００５９】
ここで、それぞれのグラフにおいて、１６０個の測定データを対象に最小二乗法により近似直線を引いてみる。図５（ａ）の近似直線の傾きａ１は、１．３２９３、切片ｂ１は、０．２８６７である。また、図５（ｂ）の近似直線の傾きａ２は、１．２０２、切片ｂ２は、−０．７５３４である。また、図５（ｃ）の近似直線の傾きａ３は、０．８７５１、切片ｂ３は、２．０１２８である。
【００６０】
図５（ａ）〜図５（ｃ）に示すグラフより、ほとんどの測定データが近似直線近傍に集中していることがわかる。すなわち、それぞれの測定データは、血液凝固時間ＰＴ値およびＩＮＲ値が異なる値であるにも関わらず、相関に直線性があるといえる。さらに、前記近似直線から比較的大きく離れたデータ、すなわち丸印で囲んだ測定データを個々に分析してみると、受光データ２３のプロファイルが歪んでおり、測定される血液凝固時間ＰＴ値およびＩＮＲ値の測定誤差が非常に大きいことが分かった。また、近似直線近傍にあるデータの受光データ２３は、プロファイルの歪が非常に少なく、測定される血液凝固時間ＰＴ値およびＩＮＲ値の測定誤差も少ないことが分かった。
【００６１】
以上の分析により、血液凝固時間ＰＴ値およびＩＮＲ値と近似直線からの乖離との関係があり、乖離が大きいものほどプロファイル歪が大きく、血液凝固時間ＰＴ値およびＮＲ値の測定誤差が大きくなる確率が高くなるといえる。従って、近似直線を基準として、基準からの乖離が所定の誤差率、例えば、±１５％以内を正常範囲として上限閾値、下限閾値を設定し、上限閾値から下限閾値の間の範囲内にあるかどうかを判断する事により、測定誤差が大きい可能性があるデータを除外する事が可能となる。
【００６２】
そこで、近似直線が標準値であると仮定し、標準値からの誤差が所定の誤差率となる上限閾値直線および下限閾値直線を設定する。例えば、誤差率を±１５％に設定すると図５（ａ）、（ｂ）、（ｃ）のグラフ中の点線のようになる。丸印で囲んだデータは、上限閾値直線および下限閾値値直線の間の正常範囲から外れており、異常データと判定することが可能となる。
【００６３】
我々が開発した血液凝固時間測定装置で得られたデータでは、血液凝固時間と血液凝固時間の受光データの３倍、２倍、０．７倍になる時刻に注目して異常判定を行ったが、他の装置に適用した場合、最適な時刻の条件は異なるので、クリニックスタディを実施して最適値を求めて、設定する必要がある。また、近似直線を用いて相関関係を表現することができたが、他の装置を用いた場合、近似直線ではなく、近似曲線で表す必要がある場合もある。その場合は、近似直線、上限閾値直線、下限閾値直線を近似曲線とすれば、本発明の効果を得ることができる。
【００６４】
また、ＣＰＵの性能やメモリ領域の制約があるため、本実施の形態１では、チェック領域を３点に設定している。チェック領域は、１点でも異常判定を行うことは可能であるが、多ければ多いほどより厳しい異常判定が可能となり、複数設定することが望ましい。
【００６５】
以下、本実施の形態１による血液凝固時間測定装置における異常判定の動作について説明する。
図９は、異常判定の動作のフローチャートを示す図である。
【００６６】
まず、血液凝固時間演算部３４で算出された血液凝固時間ＰＴを受取る（ステップＳ３１）。
【００６７】
次に、データ保持部３７に保持されている受光データの時系列データから血液凝固時間ＰＴにおける受光データＦ（ＰＴ）を算出する。受光データの時系列データは、所定の時間間隔で測定された離散的な値なので、時間間隔を非常に短い時間にしない限り、血液凝固時間ＰＴに丁度一致した測定データは存在しない確率が非常に高い。したがって、離散的なデータ間を直線補間または多項式補間を用いてデータ補間することが望ましい（ステップＳ３２）。
【００６８】
次に、異常判定するチェック領域を決定するために、判定基準値Ｆ１，Ｆ２，Ｆ３を〔式１〕〜〔式３〕で示される式を用いて決定する。本実施の形態１では、判定基準値として血液凝固時間ＰＴにおける受光データＦ（ＰＴ）の３倍、２倍、０．７倍となる３つの点を選択した。この倍率は、一例であり、これに限るものではない（ステップＳ３３）。
【００６９】
〔式１〕  F1＝c1×F(PT)    （但しc1＝3.0）
【００７０】
〔式２〕  F2＝c2×F(PT)    （但しc2＝2.0）
【００７１】
〔式３〕  F3＝c3×F(PT)    （但しc3＝0.7）
【００７２】
次に、測定データＦ（ｔ）が判定基準値Ｆ１に等しくなる時刻Ｔ１、測定データＦ（ｔ）が判定基準値Ｆ２に等しくなる時刻Ｔ２、測定データＦ（ｔ）が判定基準値Ｆ３に等しくなる時刻Ｔ３を求める。受光データＦ（ｔ）は、離散的な時系列データであるので、直線補間または多項式補間を用いてデータ補間することが望ましい。時刻Ｔ１における測定データをＦ（Ｔ１）、時刻Ｔ２における測定データをＦ（Ｔ２）、時刻Ｔ３における測定データをＦ（Ｔ３）とすると、〔式４〕〜〔式６〕のような関係式が成り立つ（ステップＳ３４）。
【００７３】
〔式４〕  T1：F(T1)＝F1＝c1×F(PT)     （但しc1＝3.0）
【００７４】
〔式５〕  T2：F(T2)＝F2＝c2×F(PT)     （但しc2＝2.0）
【００７５】
〔式６〕  T3：F(T3)＝F3＝c3×F(PT)     （但しc3＝0.7）
【００７６】
次に、時刻Ｔ１、Ｔ２、Ｔ３の正常範囲の上限閾値および下限閾値を決定する。時刻Ｔ１の正常上限閾値をＴ１ｍａｘ、時刻Ｔ１の正常下限閾値をＴ１ｍｉｎ、時刻Ｔ２の正常上限閾値をＴ２ｍａｘ、時刻Ｔ２の正常下限閾値をＴ２ｍｉｎ、時刻Ｔ３の正常上限閾値をＴ３ｍａｘ、時刻Ｔ３の正常下限閾値をＴ３ｍｉｎとする。例えば、正常範囲を±１５％とした場合、算出式は〔式７〕〜〔式１２〕のようになる。
【００７７】
ａ１、ｂ１は、図５（ａ）に示された近似直線の傾きと切片であり、ａ２、ｂ２は、図５（ｂ）に示された近似直線の傾きと切片であり、ａ３、ｂ３は、図５（ｃ）に示された近似直線の傾きと切片である（ステップＳ３５）。
【００７８】
〔式７〕    T1max＝1.15×(a1×PT＋b1)
【００７９】
〔式８〕    T2max＝1.15×(a2×PT＋b2)
【００８０】
〔式９〕    T3max＝1.15×(a3×PT＋b3)
【００８１】
〔式１０〕  T1min＝0.85×(a1×PT＋b1)
【００８２】
〔式１１〕  T2min＝0.85×(a2×PT＋b2)
【００８３】
〔式１２〕  T3min＝0.85×(a3×PT＋b3)
【００８４】
なお、規格値を±１５％という値は、あくまで一例に過ぎず、血液凝固時間測定装置の特性や異常判定の要求精度により、クリニックスタディなどの実測データに基づいて最適に設定する必要がある。
【００８５】
次に、ステップＳ３４で求めたＴ１、Ｔ２、Ｔ３が、ステップＳ３５で決定した正常範囲内から外れていないかどうかを判定する。すなわち〔式１３〕〜〔式１５〕で示した不等式を満足するかどうか判断する。全ての不等式が成立すれば、異常なしと判断し、いずれか一つでも成立しない場合、測定データのプロファイルに異常があると判断する（ステップＳ３６）。
【００８６】
〔式１３〕  T1min＜T1＜T1max
【００８７】
〔式１４〕  T2min＜T2＜T2max
【００８８】
〔式１５〕  T3min＜T3＜T3max
【００８９】
最後に、異常判定結果に応じた処理を行う。異常が検知されなかった場合は、血液凝固時間演算部で求めた血液凝固時間ＰＴおよびＩＮＲ値をＬＣＤ表示器４０に表示する（図７のステップＳ１２）。
【００９０】
一方、異常検知した場合は、ＬＣＤ表示器４０にエラー表示を行いユーザーに認知させる（図７のステップＳ１３）。ここで、出力ポート４１にプリンタを接続していれば、必要に応じて測定結果を印刷することができる。また、出力ポート４１にＰＣを接続していれば、ＰＣにデータ送信することができる。さらに、測定結果を血液凝固時間測定装置内にある外部メモリ４２に保存して、後で測定結果を読み出すことも可能である。
【００９１】
このように本実施の形態１の血液凝固時間測定装置によれば、測定した受光データの、血液凝固時間演算部３４により求められた血液凝固時間ＰＴにおける値Ｆ（ＰＴ）に基づいて、判定基準値Ｆ１，Ｆ２，Ｆ３を設定し、かつ、血液凝固時間演算部３４により求められた血液凝固時間ＰＴに基づいて、測定された受光データの値が前記判定基準値Ｆ１，Ｆ２，Ｆ３と等しくなる時刻Ｔ１，Ｔ２，Ｔ３の正常上限時刻Ｔ１ｍａｘ，Ｔ２ｍａｘ，Ｔ３ｍａｘおよび正常下限時刻Ｔ１ｍｉｎ，Ｔ２ｍｉｎ，Ｔ３ｍｉｎを設定し、測定された受光データの値が判定基準値Ｆ１，Ｆ２，Ｆ３と等しくなる時刻Ｔ１，Ｔ２，Ｔ３を求め、該求めた時刻が前記正常上限時刻および前記正常下限時刻で設定される正常時刻範囲内にあるかを判定することにより異常判定を行なうようにしたので、判定基準値、および測定データの値が判定基準値に等しくなる時刻の正常範囲を、検体の血液凝固時間および該血液凝固時間における受光データの値に応じて設定でき、検体の血液凝固時間に影響されることなく、測定データの高精度な異常判定を行うことができる。また、本実施の形態１では、チェック領域を設定するために受光光量の飽和値を知る必要がないため、受光データの微分値の最大時刻を検知した時点で測定を完了する高速測定方法においても良好な異常判定を行なうことができる。
【００９２】
（実施の形態２）
以下に本発明の実施の形態２における血液凝固時間測定装置について説明する。
【００９３】
本実施の形態２による血液凝固時間測定装置は、図１〜３に示す実施の形態１による血液凝固時間測定装置１００と同様の構成を有し、異常判定部３５による異常判定の動作のみにおいて異なるものである。
【００９４】
以下、本実施の形態２による血液凝固時間測定装置における異常判定の動作について説明する。
【００９５】
図６（ａ）は、実際に行ったクリニックスタディのデータを分析して得られたグラフであり、実施の形態１の算出方法で測定された血液凝固時間ＰＴの時刻における受光データを横軸とし、血液凝固時間ＰＴの１．１倍となる時刻における受光データを縦軸とし、１６０個のデータをプロットして、これらの相関を示したものである。同様に、図６（ｂ）は、血液凝固時間ＰＴの時刻における受光データを横軸とし、血液凝固時間ＰＴの１．２倍となる時刻における受光データを縦軸とし、１６０個のデータをプロットして、これらの相関を示したものである。同様に、図６（ｃ）は、血液凝固時間ＰＴの時刻における受光データを横軸とし、血液凝固時間ＰＴの１．３倍となる時刻における受光データを縦軸とし、１６０個のデータをプロットして、これらの相関を示したものである。
【００９６】
ここで、それぞれのグラフにおいて、１６０個の測定データを対象に最小二乗法により近似二次曲線を引いてみる。図６（ａ）の近似二次曲線の二次係数ｊ１は−０．０００９、一次係数ｋ１は１．６１３５、定数項ｌ１は−０．９９４２である。また、図６（ｂ）の近似二次曲線の二次係数ｊ２は−０．００２４、一次係数ｋ２は２．３６３８、定数項はｌ２は−１．９７７４である。また、図６（ｃ）の近似二次曲線の二次係数ｊ３は−０．００３９、一次係数ｋ３は３．１５９４、定数項ｌ３は−２．１４２８である。
【００９７】
図６（ａ）〜図６（ｃ）に示すグラフより、ほとんどの測定データが近似二次曲線近傍に集中していることがわかる。さらに、前記近似二次曲線から比較的大きく離れたデータ、すなわち丸印で囲んだ測定データを個々に分析してみると、受光データ２３のプロファイルが歪んでおり、測定される血液凝固時間ＰＴ値およびＩＮＲ値の測定誤差が非常に大きいことが分かった。また、近似二次曲線近傍にあるデータの受光データ２３は、プロファイルの歪が非常に少なく、測定される血液凝固時間ＰＴ値およびＩＮＲ値の測定誤差も少ないことが分かった。
【００９８】
以上の分析により、血液凝固時間ＰＴ値およびＩＮＲ値と近似二次曲線からの乖離との関係があり、乖離が大きいものほどプロファイル歪が大きく、血液凝固時間ＰＴ値およびＮＲ値の測定誤差が大きくなる確率が高くなるといえる。従って、近似二次曲線を基準として、基準からの乖離が所定の誤差率、例えば、±１５％以内を正常範囲として上限閾値、下限閾値を設定し、上限閾値から下限閾値の間の範囲内にあるかどうかを判断する事により、測定誤差が大きい可能性があるデータを除外する事が可能となる。
【００９９】
そこで、近似二次曲線が標準値であると仮定し、標準値からの誤差が所定の誤差率となる上限閾値直線および下限閾値直線を設定する。例えば、誤差率を±１５％に設定すると図６（ａ）、（ｂ）、（ｃ）のグラフ中の点線のようになる。丸印で囲まれたデータは、上限閾値直線および下限閾値値直線の間の正常範囲から外れており、異常データと判定することが可能となる。
【０１００】
我々が開発した血液凝固時間測定装置で得られたデータでは、血液凝固時間における受光データと血液凝固時間の１．１倍、１．２倍、１．３倍の時刻における受光データに注目して異常判定を行ったが、他の装置に適用した場合、最適な時刻の条件は異なるので、クリニックスタディを実施して最適値を求めて、設定する必要がある。
【０１０１】
また、ＣＰＵの性能やメモリ領域の制約があるため、本実施の形態２では、チェック領域を３点に設定している。チェック領域は、１点でも異常判定を行うことは可能であるが、多ければ多いほどより厳しい異常判定が可能となり、複数設定することが望ましい。
【０１０２】
図１０は、本発明の実施の形態２における異常判定のフローチャートを示している。
まず、血液凝固時間演算部３４で算出された血液凝固時間ＰＴを受取る（ステップＳ４１）。
【０１０３】
次に、データ保持部３７に保持されている受光データの時系列データから血液凝固時間ＰＴにおける受光データＦ（ＰＴ）を算出する。実施の形態１と同様に、離散的なデータ間を直線補間または多項式補間を用いてデータ補間することが望ましい（ステップＳ４２）。
【０１０４】
次に、異常判定するチェック領域を決定するために、判定基準時刻ｔ１、ｔ２、ｔ３を〔式１６〕〜〔式１８〕で示される式を用いて決定する。本実施の形態２では、判定基準時刻として血液凝固時間ＰＴの１．１倍、１．２倍、１．３倍となる３つの点を選択した。この倍率は、一例であり、これに限るものではない（ステップＳ４３）。
【０１０５】
〔式１６〕  t1＝d1×PT    （但しd1＝1.1）
【０１０６】
〔式１７〕  t2＝d2×PT    （但しd2＝1.2）
【０１０７】
〔式１８〕  t3＝d3×PT    （但しd3＝1.3）
【０１０８】
次に、データ保持部３７に保持されている受光データの時系列データから判定基準時刻ｔ１、ｔ２、ｔ３における受光データｆ１（＝Ｆ（ｔ１））、ｆ２（＝Ｆ（ｔ２））、ｆ３（＝Ｆ（ｔ３））を〔式１９〕〜〔式２１〕に基づいて算出する。受光データの時系列データは、所定の時間間隔で測定された離散的な値なので、時間間隔を非常に短い時間にしない限り、判定基準時刻ｔ１、ｔ２、ｔ３に丁度一致した測定データは存在しない確率が非常に高い。したがって、離散的なデータ間を直線補間または多項式補間を用いてデータ補間することが望ましい（ステップＳ４４）。
【０１０９】
〔式１９〕  f1＝F(t1)＝F(d1×PT)     （但しd1＝1.1）
【０１１０】
〔式２０〕  f2＝F(t2)＝F(d2×PT)     （但しd2＝1.2）
【０１１１】
〔式２１〕  f3＝F(t3)＝F(d3×PT)     （但しd3＝1.3）
【０１１２】
次に、時刻ｔ１、ｔ２、ｔ３における受光データｆ１、ｆ２、ｆ３の正常範囲の上限閾値および下限閾値を決定する。例えば、正常範囲を±１５％とした場合、算出式は〔式２２〕〜〔式２７〕のようになる。ここで、ｆ１ｍａｘは時刻ｔ１における受光データｆ１の正常上限値、ｆ２ｍａｘは時刻ｔ２における受光データｆ２の正常上限値、ｆ３ｍａｘは時刻ｔ３における受光データｆ３の正常上限値、ｆ１ｍｉｎは時刻ｔ１における受光データｆ１の正常下限値、ｆ２ｍｉｎは時刻ｔ２における受光データｆ２の正常下限値、ｆ３ｍｉｎは時刻ｔ３における受光データｆ３の正常下限値である。
【０１１３】
ｊ１、ｋ１、およびｌ１は、図６（ａ）に示される近似二次曲線の二次係数、一次係数、および定数項であり、ｊ２、ｋ２、およびｌ３は、図６（ｂ）に示される近似二次曲線の二次係数、一次係数、および定数項であり、ｊ３、ｋ３、およびｌ３は、図６（ｃ）に示される近似二次曲線の二次係数、一次係数、および定数項である（ステップＳ４５）。
【０１１４】
〔式２２〕  f1max＝1.15×(j1×F(PT)×F(PT)＋k1×F(PT)＋l1)
【０１１５】
〔式２３〕  f2max＝1.15×(j2×F(PT)×F(PT)＋k2×F(PT)＋l2)
【０１１６】
〔式２４〕  f3max＝1.15×(j3×F(PT)×F(PT)＋k3×F(PT)＋l3)
【０１１７】
〔式２５〕  f1min＝0.85×(j1×F(PT)×F(PT)＋k1×F(PT)＋l1)
【０１１８】
〔式２６〕  f2min＝0.85×(j2×F(PT)×F(PT)＋k2×F(PT)＋l2)
【０１１９】
〔式２７〕  f3min＝0.85×(j3×F(PT)×F(PT)＋k3×F(PT)＋l3)
【０１２０】
ただし、
【０１２１】
j1＝-0.0009、k1＝1.6135、l1＝-0.9942
【０１２２】
j2＝-0.0024、k2＝2.3638、l2＝-1.9774
【０１２３】
j3＝-0.0039、k3＝3.1594、l3＝-2.1428である。
【０１２４】
なお、規格値を±１５％という値は、あくまで一例に過ぎず、血液凝固時間測定装置の特性や異常判定の要求精度によってクリニックスタディなどの実測データに基づいて最適に設定する必要がある。
【０１２５】
次に、ステップＳ４４で求めたｆ１、ｆ２、ｆ３が、ステップＳ４５で決定した正常範囲内から外れていないかどうかを判定する。すなわち〔式２８〕〜〔式３０〕で示した不等式を満足するかどうか判断する。全ての不等式が成立すれば、異常なしと判断し、いずれか一つでも成立しない場合、測定データのプロファイルに異常があると判断する（ステップＳ４６）。
【０１２６】
〔式２８〕  f1min＜f1＜f1max
【０１２７】
〔式２９〕  f2min＜f2＜f2max
【０１２８】
〔式３０〕  f3min＜f3＜f3max
【０１２９】
最後に、異常判定結果に応じた処理を行う。すなわち、上記実施の形態１と同様、異常が検知されなかった場合は、血液凝固時間演算部で求めた血液凝固時間ＰＴおよびＩＮＲ値をＬＣＤ表示器４０に表示し、異常検知した場合は、ＬＣＤ表示器４０にエラー表示を行いユーザーに認知させる。ここで、出力ポート４１にプリンタを接続していれば、必要に応じて測定結果を印刷することができる。また、出力ポート４１にＰＣを接続していれば、ＰＣにデータ送信することができる。さらに、測定結果を血液凝固時間測定器内にある外部メモリ４２に保存して、後で測定結果を読み出すことも可能である。
【０１３０】
このように本実施の形態２の血液凝固時間測定装置によれば、前記血液凝固時間演算部により求められた血液凝固時間ＰＴに基づいて、判定基準時刻ｔ１，ｔ２，ｔ３を設定し、かつ、前記測定した受光データの、前記血液凝固時間演算部により求められた血液凝固時間ＰＴにおける値Ｆ（ＰＴ）に基づいて、測定した受光データの判定基準時刻ｔ１，ｔ２，ｔ３における値ｆ１，ｆ２，ｆ３の正常上限値ｆ１ｍａｘ，ｆ２ｍａｘ，ｆ３ｍａｘおよび正常下限値ｆ１ｍｉｎ，ｆ２ｍｉｎ，ｆ３ｍｉｎを設定し、測定した受光データの判定基準時刻ｔ１，ｔ２，ｔ３における値ｆ１，ｆ２，ｆ３を求め、該求めた値が前記正常上限値および前記正常下限値で設定される正常値範囲内にあるかを判定することにより異常判定を行なうようにしたので、判定基準時刻、および該判定基準時刻における受光データの正常範囲を、検体の血液凝固時間および該血液凝固時間における受光データの値に応じて設定でき、検体の血液凝固時間に影響されることなく、測定データの高精度な異常判定を行うことができる。また、本実施の形態２においても上記実施の形態１と同様、チェック領域を設定するために受光光量の飽和値を知る必要がないため、受光データの微分値の最大時刻を検知した時点で測定を完了する高速測定方法においても良好な異常判定を行なうことができる。
【産業上の利用可能性】
【０１３１】
本発明にかかる血液凝固時間測定装置は、検体の受光光量差や反応開始時刻の影響を排除することができ、光量検体の血液凝固能や固体差に依存することなく良好な異常検知が可能となる。また、血液凝固反応が飽和するまで測定する必要が無く短時間で測定するような高速演算方法においても良好な効果を得ることが可能となる。
【図面の簡単な説明】
【０１３２】
【図１】本発明の実施の形態１による血液凝固時間測定装置の斜視図
【図２】本発明の実施の形態１による血液凝固時間測定装置の光学台の断面図
【図３】本発明の実施の形態１による血液凝固時間測定装置のブロック図
【図４】本発明の実施の形態１による血液凝固時間測定装置における血液凝固時間の測定フローを示す図
【図５】本発明の実施の形態１において用いるクリニックスタディの測定データを示す図
【図６】本発明の実施の形態２において用いるクリニックスタディの測定データを示す図
【図７】本発明の実施の形態１による血液凝固時間測定装置における測定動作のフローチャート図
【図８】本発明の実施の形態１による血液凝固時間測定装置における血液凝固時間の演算のフローチャート図
【図９】本発明の実施の形態１による血液凝固時間測定装置における血液凝固時間の異常判定動作のフローチャート図
【図１０】本発明の実施の形態２による血液凝固時間測定装置における血液凝固時間の異常判定動作のフローチャート図
【図１１】従来の光学的方法を用いた血液凝固時間装置の構成図
【図１２】従来の光学的方法を用いた血液凝固時間の測定方法を説明するための図
【図１３】従来の問題点を説明するための図
【符号の説明】
【０１３３】
１  血液凝固時間測定装置
３  試験片
４  反応部
５  試料
６  光学台
７  窓部
８  蓋
９  光源
１０  レンズ
１１  受光手段
１２  光源フィルタ
１３  受光フィルタ
２０  ホルダー
２１  温度制御手段
２２  電極
２３  受光データ
２４  一次微分
２５  近似直線
３０  ＬＥＤドライバ
３１  操作スイッチ
３２  ＣＰＵ
３３  制御部
３４  血液凝固時間演算部
３５  異常判定部
３６  データ測定部
３７  データ保持部
３８  電流電圧変換回路
３９  アナログ−デジタル変換回路
４０  ＬＣＤ表示器
４１  出力ポート
４２  外部メモリ
４３  タイマー
５１  試験管
５２  試薬供給装置
５３  ピペット
５４  ＬＥＤ
５５  フォトダイオード
５６  計測部
５７  ＣＲＴ
【図１】
2008209350.tif 000003
【図２】
2008209350.tif 000004
【図３】
2008209350.tif 000005
【図４】
2008209350.tif 000006
【図５】
2008209350.tif 000007
【図６】
2008209350.tif 000008
【図７】
2008209350.tif 000009
【図８】
2008209350.tif 000010
【図９】
2008209350.tif 000011
【図１０】
2008209350.tif 000012
【図１１】
2008209350.tif 000013
【図１２】
2008209350.tif 000014
【図１３】
2008209350.tif 000015